(57)【要約】      （修正有）【課題】被検者が将来的にＣＰＡＰ装置の脱落者になり得るかどうかを予測することができるデータ分析予測装置およびデータ分析予測プログラムを提供する。【解決手段】ＣＰＡＰ装置から送信されてきた被検者のデータを処理するデータ処理部４１と、複数のＣＰＡＰ装置から送信されてきた複数の被検者のデータがクラウドサーバ３に保存されており、当該クラウドサーバ３に保存されている被検者のデータに基づいて、ＣＰＡＰ装置による治療から脱落する脱落者のデータに基づいて学習し、学習した結果からニューラルネットワークを生成する学習部４２と、ニューラルネットワークを利用して、データ処理部４１により処理されたデータの分析を行い、分析結果に基づいて、被検者が将来的にＣＰＡＰ装置の脱落者になり得るかどうかを予測する分析予測部４３とを備える。【選択図】図２
2019185259.tif 000002
【特許請求の範囲】
【請求項１】
治療装置から送信されてきた被検者のデータを処理するデータ処理部と、
複数の前記治療装置から送信されてきた複数の被検者のデータがクラウドサーバに保存されており、当該クラウドサーバに保存されている被検者のデータに基づいて、前記治療装置による治療から脱落する脱落者のデータに基づいて学習し、学習した結果からニューラルネットワークを生成する学習部と、
前記ニューラルネットワークを利用して、前記データ処理部により処理されたデータの分析を行い、分析結果に基づいて、被検者が将来的に前記治療装置の脱落者になり得るかどうかを予測する分析予測部と、を備えるデータ分析予測装置。
【請求項２】
前記学習部は、複数の被検者のデータに基づいて、前記治療装置の使用を停止した期間が第１期間以上である、被検者のデータを特定し、特定した被検者のデータに基づいて学習した結果から前記治療装置の脱落者の傾向に関する前記ニューラルネットワークを生成する請求項１に記載のデータ分析予測装置。
【請求項３】
前記学習部は、前記特定した被検者のデータの中から第２期間のデータを抽出し、抽出した前記第２期間のデータに基づいて学習し、学習した結果から前記治療装置の脱落者の傾向に関する前記ニューラルネットワークを生成する請求項２に記載のデータ分析予測装置。
【請求項４】
前記学習部は、前記特定した被検者が前記治療装置の初期の被検者であった場合、前記第２期間より短い期間のデータに基づいて学習し、学習した結果から前記治療装置の脱落者の傾向に関する前記ニューラルネットワークを生成する請求項３に記載のデータ分析予測装置。
【請求項５】
前記学習部は、前記治療装置の使用が前記第１期間以上停止されていたが、その後、前記治療装置の使用が再開された場合には、再開された被検者のデータを前記特定した被検者のデータから除外する請求項２から４のいずれか一項に記載のデータ分析予測装置。
【請求項６】
前記学習部は、前記特定した被検者のデータである被検者の属性情報、前記治療装置の使用日数に関する情報、使用時間に関する情報、無呼吸および低呼吸に関する情報、圧力に関する情報、リークに関する情報の中のいずれか一つの情報または複数の情報を学習し、学習した結果から前記治療装置の脱落者の傾向に関する前記ニューラルネットワークを生成する請求項２から５のいずれか一項に記載のデータ分析予測装置。
【請求項７】
前記クラウドサーバには、前記分析予測部により前記治療装置の脱落者になり得ると予測された被検者のデータと、専門家の指示により当該被検者が使用する治療装置の設定値と、が対応付けて保存されており、
前記学習部は、前記クラウドサーバに対応付けて保存されている前記被検者のデータと当該被検者が使用する治療装置の設定値とに基づいて、前記分析予測部により脱落者になり得ると予測されたが、治療装置の設定値を変更することにより、脱落しなかった被検者のデータと、治療装置の変更後の設定値とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に前記治療装置の脱落者になり得ると予測した場合、当該被検者が使用する治療装置の変更後の設定値を予測する請求項１から６のいずれか一項に記載のデータ分析予測装置。
【請求項８】
前記分析予測部により被検者が使用する治療装置の変更後の設定値を予測した場合、その変更後の設定値に基づいて、対象となる治療装置の設定値を変更する変更部を備える請求項７に記載のデータ分析予測装置。
【請求項９】
前記クラウドサーバには、前記分析予測部により治療装置の脱落者になり得ると予測された被検者のデータと、当該被検者が使用するマスクに関する情報と、が対応付けて保存されており、
前記学習部は、前記クラウドサーバに対応付けて保存されている被検者のデータとマスクに関する情報とに基づいて、前記分析予測部により脱落者になり得ると予測されたが、マスクを交換することにより、脱落しなかった被検者のデータと、この交換されたマスクに関する情報とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に治療装置の脱落者になり得ると予測した場合、当該被検者に適したマスクに関する情報を予測する請求項１から８のいずれか一項に記載のデータ分析予測装置。
【請求項１０】
治療装置から送信されてきた被検者のデータを処理するデータ処理工程と、
複数の前記治療装置から送信されてきた複数の被検者のデータがクラウドサーバに保存されており、当該クラウドサーバに保存されている被検者のデータに基づいて、前記治療装置による治療から脱落する脱落者のデータに基づいて学習し、学習した結果からニューラルネットワークを生成する学習工程と、
前記ニューラルネットワークを利用して、前記データ処理工程により処理されたデータの分析を行い、分析結果に基づいて、被検者が将来的に前記治療装置の脱落者になり得るかどうかを予測する分析予測工程と、をコンピュータに実行させるデータ分析予測プログラム。
【発明の詳細な説明】
【技術分野】
【０００１】
本発明は、呼吸療法装置で取得されたデータを分析するデータ分析予測装置およびデータ分析予測プログラムに関する。
【背景技術】
【０００２】
近年、ＱＯＬ（クオリティ・オブ・ライフ）の高まりから、在宅での酸素療法や人工呼吸療法の普及が進んでいる。また、睡眠時無呼吸症候群（ＳＡＳ、Ｓｌｅｅｐ  Ａｐｎｅａ  Ｓｙｎｄｒｏｍｅ）の患者に対する呼吸療法は、一般にも広く知られるようになった。
【０００３】
ここで、睡眠時無呼吸症候群の治療には、顔にマスクを固定して、ファンで空気を強制的に気道に送り込むＣＰＡＰ（Ｃｏｎｔｉｎｕｏｕｓ  Ｐｏｓｉｔｉｖｅ  Ａｉｒｗａｙ  Ｐｒｅｓｓｕｒｅ）装置が用いられている。ＣＰＡＰ装置は、人体から離れた位置にファンや制御部等を内蔵した本体装置を置き、本体装置と顔に固定するマスクとの間がホースで接続され、そのホースを経由して空気を送り込む構造になっている。
【０００４】
例えば、特許文献１には、患者の気道抵抗に対して治療圧を常時最適なレベルに維持するＣＰＡＰ装置が開示されている。
【先行技術文献】
【特許文献】
【０００５】
【特許文献１】特開２００８−２６４１８１号公報
【発明の概要】
【発明が解決しようとする課題】
【０００６】
しかしながら、ＣＰＡＰ装置による治療を開始してから初期段階（例えば、半年程度）に３０％近い患者がＣＰＡＰ装置による治療から脱落してしまう。脱落の原因としては、器具を付けて寝ることへの抵抗感などに加え、適切な処方（治療装置の設定）が行われていないことなどが考えられる。よって、ＣＰＡＰ装置による治療から患者が脱落しないように、適切なフォローを行うことが重要である。
【０００７】
本発明は、上記の課題に鑑みてなされたものであって、被検者が将来的に治療装置の脱落者になり得るかどうかを予測することができるデータ分析予測装置およびデータ分析予測プログラムを提供することを目的とする。
【課題を解決するための手段】
【０００８】
上記の目的を達成するため、本発明に係るデータ分析予測装置は、治療装置から送信されてきた被検者のデータを処理するデータ処理部と、複数の前記治療装置から送信されてきた複数の被検者のデータがクラウドサーバに保存されており、当該クラウドサーバに保存されている被検者のデータに基づいて、前記治療装置による治療から脱落する脱落者のデータに基づいて学習し、学習した結果からニューラルネットワークを生成する学習部と、前記ニューラルネットワークを利用して、前記データ処理部により処理されたデータの分析を行い、分析結果に基づいて、被検者が将来的に前記治療装置の脱落者になり得るかどうかを予測する分析予測部と、を備える。
【０００９】
これにより、データ分析予測装置は、ＡＩ（ａｒｔｉｆｉｃｉａｌ  ｉｎｔｅｌｌｉｇｅｎｃｅ）を活用して被検者が将来的に治療装置（ＣＰＡＰ装置など）による治療から脱落するかどうかを予測することができる。例えば、データ分析予測装置により予測した結果を専門家に提示することにより、専門家は、被検者に対して早期に適切なフォローを行うことができ、被検者が治療装置による治療から脱落することを未然に防止することができる。専門家とは、医師、検査技師、看護師等の医療従事者などである。
【００１０】
また、前記学習部は、複数の被検者のデータに基づいて、前記治療装置の使用を停止した期間が第１期間以上である、被検者のデータを特定し、特定した被検者のデータに基づいて学習した結果から前記治療装置の脱落者の傾向に関する前記ニューラルネットワークを生成する。
【００１１】
第１期間とは、例えば、１４日間である。治療装置の使用を停止してから第１期間以上経過する場合には、治療装置の治療から脱落していると考えられる。データ分析予測装置は、治療装置の治療から脱落した被検者のデータに基づいて、治療装置の脱落者のデータに基づいて学習し、学習した結果からニューラルネットワークを生成する。よって、データ分析予測装置は、生成したニューラルネットワークを利用することにより、被検者のデータが治療装置の治療から脱落した被検者と同じような傾向を示すかどうかにより、この被検者が将来的に治療装置の脱落者になり得るかどうかを予測することができる。例えば、専門家は、治療装置の治療から脱落しそうな被検者に対して早期に適切なフォローを行うことができ、被検者が治療装置による治療から脱落することを未然に防止することができる。
【００１２】
また、前記学習部は、前記特定した被検者のデータの中から第２期間のデータを抽出し、抽出した前記第２期間のデータに基づいて学習し、学習した結果から前記治療装置の脱落者の傾向に関する前記ニューラルネットワークを生成する。
【００１３】
第２期間とは、例えば、治療装置の使用を停止した最初の日から遡って６ヶ月間である。なお、第２期間は、６ヶ月間に限られず、１ヶ月間または３ヶ月間などでもよい。学習部は、治療装置の治療を停止するまでの６ヶ月間のデータに基づいて学習し、学習した結果からニューラルネットワークを生成する。よって、データ分析予測装置は、生成したニューラルネットワークを利用することにより、第２期間の被検者のデータが治療装置の治療から脱落した被検者と同じような傾向を示すかどうかにより、この被検者が将来的に治療装置の脱落者になり得るかどうかを予測することができる。例えば、専門家は、治療装置の治療から脱落しそうな被検者に対して早期に適切なフォローを行うことができ、被検者が治療装置による治療から脱落することを未然に防止することができる。
【００１４】
また、前記学習部は、前記特定した被検者が前記治療装置の初期の被検者であった場合、前記第２期間より短い期間のデータに基づいて学習し、学習した結果から前記治療装置の脱落者の傾向に関する前記ニューラルネットワークを生成する構成でもよい。
【００１５】
第２期間より短い期間とは、例えば、１０日間である。治療装置の初期の被検者、すなわち、治療装置による治療を始めたばかりの被検者は、早期に治療装置の治療から脱落する傾向にある。よって、学習部は、治療装置の初期の被検者であった場合、第２期間より短い期間のデータに基づいて学習し、学習した結果からニューラルネットワークを生成する。よって、データ分析予測装置は、生成したニューラルネットワークを利用することにより、治療装置による治療を始めたばかりの被検者のデータが治療装置の治療から脱落した初期の被検者と同じような傾向を示すかどうかにより、この被検者が将来的に治療装置の脱落者になり得るかどうかを予測することができる。例えば、専門家は、治療装置による治療を始めたばかりの被検者に対して早期に適切なフォローを行うことができ、初期の被検者が治療装置による治療から脱落することを未然に防止することができる。
【００１６】
また、前記学習部は、前記治療装置の使用が前記第１期間以上停止されていたが、その後、前記治療装置の使用が再開された場合には、再開された被検者のデータを前記特定した被検者のデータから除外する構成でもよい。
【００１７】
治療装置の使用を停止してから第１期間以上経過していても、治療装置の治療を再開する場合がある。例えば、長期に海外などへ出張していた場合、旅行していた場合、および入院していた場合などが考えられる。このような場合には、治療装置の治療を一時的に停止していただけであり、治療装置の治療から脱落していない。学習部は、治療装置の使用が再開された場合には、再開された被検者のデータを特定した被検者のデータから除外して、ニューラルネットワークを生成する。よって、データ分析予測装置は、治療装置の治療を再開した被検者のデータを除いて生成されたニューラルネットワークを利用することにより、被検者が将来的に治療装置による治療から脱落するかどうかを正確に予測することができる。
【００１８】
また、前記学習部は、前記特定した被検者のデータである被検者の属性情報、前記治療装置の使用日数に関する情報、使用時間に関する情報、無呼吸および低呼吸に関する情報、圧力に関する情報、リークに関する情報の中のいずれか一つの情報または複数の情報を学習し、学習した結果から前記治療装置の脱落者の傾向に関する前記ニューラルネットワークを生成する構成でもよい。
【００１９】
被検者の属性情報とは、例えば、性別、生年月日および年齢などである。治療装置の使用日数に関する情報とは、例えば、１ヶ月間の使用日数、１ヶ月間の使用可能日数、１ヶ月間で使用されなかった日数、および１ヶ月間の使用されなかった日数の割合などである。使用時間に関する情報とは、例えば、１ヶ月間における規定時間以上の使用日数、１ヶ月間における規定時間以上の使用日数の割合、１ヶ月間における合計使用時間、１ヶ月間における平均使用時間、および１ヶ月間における使用時間の中央値などである。無呼吸および低呼吸に関する情報とは、例えば、ＡＨＩ（Ａｐｎｅａ  Ｈｙｐｏｐｎｅａ  Ｉｎｄｅｘ、無呼吸低呼吸指数）、ＡＩ（Ａｐｎｅａ  Ｉｎｄｅｘ、無呼吸指数）、およびＨＩ（Ｈｙｐｏｐｎｅａ  Ｉｎｄｅｘ、低呼吸指数）などである。圧力に関する情報とは、例えば、治療装置の１ヶ月間の平均圧力および治療装置の１ヶ月間の最大圧力などである。リークに関する情報とは、例えば、治療装置の１ヶ月間の平均リーク量および治療装置の１ヶ月間の最大リーク量などである。学習部は、被検者の属性情報などから治療装置の脱落者のデータに基づいて学習し、学習した結果からニューラルネットワークを生成する。よって、データ分析予測装置は、生成されたニューラルネットワークを利用することにより、具体的な被検者のデータに基づいて、被検者が将来的に治療装置による治療から脱落するかどうかを予測することができる。
【００２０】
また、前記クラウドサーバには、前記分析予測部により前記治療装置の脱落者になり得ると予測された被検者のデータと、専門家の指示により当該被検者が使用する治療装置の設定値と、が対応付けて保存されており、前記学習部は、前記クラウドサーバに対応付けて保存されている前記被検者のデータと当該被検者が使用する治療装置の設定値とに基づいて、前記分析予測部により脱落者になり得ると予測されたが、治療装置の設定値を変更することにより、脱落しなかった被検者のデータと、治療装置の変更後の設定値とに基づいて学習し、学習した結果からニューラルネットワークを生成し、前記分析予測部は、前記ニューラルネットワークを利用して、前記データ処理部により処理されたデータの分析を行い、分析結果に基づいて、被検者が将来的に前記治療装置の脱落者になり得ると予測した場合、当該被検者が使用する治療装置の変更後の設定値を予測する構成でもよい。
【００２１】
治療装置の設定値とは、例えば、自動開始のオンまたはオフ、上限圧、下限圧、ランプ開始圧、およびランプ時間などである。ここで、治療装置の設定が適切でないために、治療装置による治療から脱落する場合がある。学習部は、脱落者になり得ると予測されたが脱落しなかった被検者のデータと、この被検者の治療装置の変更後の設定値とに基づいて学習し、学習した結果からニューラルネットワークを生成する。よって、データ分析予測装置は、生成されたニューラルネットワークを利用することにより、将来的に治療装置の脱落者になり得る被検者に対して、治療装置の設定値をどのように変更すればよいのか予測することができる。
【００２２】
また、前記分析予測部により被検者が使用する治療装置の変更後の設定値を予測した場合、その変更後の設定値に基づいて、対象となる治療装置の設定値を変更する変更部を備える構成でもよい。
【００２３】
データ分析予測装置は、将来的に治療装置の脱落者になり得る被検者の治療装置の設定値を適した設定値に変更することができ、治療装置による治療から脱落することを未然に防止することができる。
【００２４】
また、前記クラウドサーバには、前記分析予測部により治療装置の脱落者になり得ると予測された被検者のデータと、当該被検者が使用するマスクに関する情報と、が対応付けて保存されており、前記学習部は、前記クラウドサーバに対応付けて保存されている被検者のデータとマスクに関する情報とに基づいて、前記分析予測部により脱落者になり得ると予測されたが、マスクを交換することにより、脱落しなかった被検者のデータと、この交換されたマスクに関する情報とに基づいて学習し、学習した結果からニューラルネットワークを生成し、前記分析予測部は、前記ニューラルネットワークを利用して、前記データ処理部により処理されたデータの分析を行い、分析結果に基づいて、被検者が将来的に治療装置の脱落者になり得ると予測した場合、当該被検者に適したマスクに関する情報を予測する構成でもよい。
【００２５】
医師などの専門家は、被検者が将来的に治療装置による治療から脱落するかどうかの分析予測部による予測結果と、被検者のマスクに関する情報に基づいて、被検者に適合するマスクを選定することができ、治療装置による治療から脱落することを未然に防止することができる。
【００２６】
本発明に係るデータ分析予測プログラムは、治療装置から送信されてきた被検者のデータを処理するデータ処理工程と、複数の前記治療装置から送信されてきた複数の被検者のデータがクラウドサーバに保存されており、当該クラウドサーバに保存されている被検者のデータに基づいて、前記治療装置による治療から脱落する脱落者のデータに基づいて学習し、学習した結果からニューラルネットワークを生成する学習工程と、前記ニューラルネットワークを利用して、前記データ処理工程により処理されたデータの分析を行い、分析結果に基づいて、被検者が将来的に前記治療装置の脱落者になり得るかどうかを予測する分析予測工程と、をコンピュータに実行させるプログラムである。
【００２７】
これにより、データ分析予測プログラムは、ＡＩ（ａｒｔｉｆｉｃｉａｌ  ｉｎｔｅｌｌｉｇｅｎｃｅ）を活用して被検者が将来的に治療装置による治療から脱落するかどうかを予測することができる。例えば、データ分析予測プログラムにより予測した結果を専門家に提示することにより、専門家は、被検者に対して早期に適切なフォローを行うことができ、被検者が治療装置による治療から脱落することを未然に防止することができる。
【発明の効果】
【００２８】
本発明によれば、被検者が将来的に治療装置の脱落者になり得るかどうかを予測することができる。
【図面の簡単な説明】
【００２９】
【図１】図１は、情報処理システムの構成を示す図である。
【図２】図２は、データ分析予測装置の構成を示す図である。
【図３】図３は、クラウドサーバに保存されている被検者のデータの一例を示す図である。
【図４】図４は、クラウドサーバに保存されている被検者のデータの一例を示す図である。
【図５】図５は、ＣＰＡＰ装置による治療から脱落すると疑われるデータであるが、正当理由により脱落するデータとは扱われないデータの一例を示す図である。
【図６】図６は、ＣＰＡＰ装置による治療から脱落されると疑われるデータの一例を示す図である。
【図７】図７は、被検者ごとに作成されるＣＰＡＰ装置の使用情報の一例を示す図である。
【図８】図８は、ＣＰＡＰ装置の脱落の兆候を監視する手順についての説明に供するフローチャートである。
【図９】図９は、ＣＰＡＰ装置からの脱落を防止する手順についての説明に供するフローチャートである。
【発明を実施するための形態】
【００３０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、以下では、治療装置の一例としてＣＰＡＰ装置について説明する。ＣＰＡＰ（Ｃｏｎｔｉｎｕｏｕｓ  Ｐｏｓｉｔｉｖｅ  Ａｉｒｗａｙ  Ｐｒｅｓｓｕｒｅ）とは、持続陽圧呼吸療法のことである。
【００３１】
図１は、本実施形態に係る情報処理システム１の構成を示す図である。情報処理システム１は、ネットワークＮを介して、複数台のＣＰＡＰ装置２ａ，２ｂ、・・・と、クラウドサーバ３と、データ分析予測装置４とが接続されて構成されている。なお、以下では、複数台のＣＰＡＰ装置２ａ，２ｂ、・・・を「ＣＰＡＰ装置２」と称する。また、データ分析予測装置４は、ＣＰＡＰ装置２ａ，２ｂ、・・・ごとにデータを分析し、ＣＰＡＰ装置２ａ，２ｂ、・・・の各被検者が将来的に脱落者になり得るかどうかを個別的に予測する。
【００３２】
ＣＰＡＰとは、ＣＰＡＰ装置２により圧力をかけた空気を鼻などから気道に送り込み、気道を広げて睡眠中の無呼吸を防止する治療法である。ＣＰＡＰ装置２は、あらかじめ設定した圧力で空気を送るチューブと、鼻などに当てるマスクとから構成される。
【００３３】
また、圧力の大きさなどのＣＰＡＰ装置２の設定は、被検者の病状に応じて医師により行われる。また、ＣＰＡＰ治療を行った場合には、ＣＰＡＰ治療を行わなかった場合に比べて、ＣＰＡＰ治療を行った被検者の方が長生きできたなど、多くの研究によって、睡眠時無呼吸症候群に対するＣＰＡＰの効果が証明されている。現在では、睡眠時無呼吸症候群（ＳＡＳ、Ｓｌｅｅｐ  Ａｐｎｅａ  Ｓｙｎｄｒｏｍｅ）の患者に対する標準的な治療法として広く用いられている。
【００３４】
ＣＰＡＰ装置２は、あらかじめ定められたタイミングで、装置の使用日数に関する情報などの装置の使用状態を把握できる情報をネットワークＮを介して、クラウドサーバ３に送信する。
【００３５】
クラウドサーバ３は、ＣＰＡＰ装置２から送信されてきた情報を受信し、保存する。つまり、クラウドサーバ３には、複数のＣＰＡＰ装置２ａ，２ｂ，・・・から送信されてきた複数の被検者のデータが保存されている。
【００３６】
データ分析予測装置４は、クラウドサーバ３に保存されているＣＰＡＰ装置２から送信されてきた情報を分析し、被検者が将来的にＣＰＡＰ装置２の脱落者になり得るかどうかを予測する。以下に、データ分析予測装置４の具体的な構成と動作について説明する。
【００３７】
図２は、データ分析予測装置４の構成を示す図である。データ分析予測装置４は、通信部４０と、データ処理部４１と、学習部４２と、分析予測部４３とを備える。
【００３８】
通信部４０は、クラウドサーバ３およびＣＰＡＰ装置２と通信を行う。データ処理部４１は、通信部４０を介してＣＰＡＰ装置２から送信されてきた被検者のデータを処理する。本実施形態では、データ処理部４１は、通信部４０を介してクラウドサーバ３に保存されている被検者のデータを読み出し、読み出した被検者のデータを処理する構成であるとするが、この構成に限られず、通信部４０を介してＣＰＡＰ装置２から送信されてきた被検者のデータを直接受信して、処理する構成でもよい。
【００３９】
例えば、データ処理部４１は、被検者のデータに対して前処理を行う。前処理とは、被検者のデータから必要なデータを抽出する処理、または、分析予測部４３による処理に適した形式にデータを加工する処理などをいう。
【００４０】
学習部４２は、通信部４０を介してクラウドサーバ３と通信を行う。学習部４２は、クラウドサーバ３に保存されている被検者のデータに基づいて、ＣＰＡＰ装置２による治療から脱落する脱落者のデータに基づいて学習し、学習した結果からニューラルネットワークを生成する。なお、本実施形態における学習とは、教師あり学習でもよいし、教師なし学習でもよい。
【００４１】
ここで、ＣＰＡＰ装置２による治療から脱落する脱落者のデータについて説明する。なお、本実施形態では、被検者ごとに時系列でＣＰＡＰ装置２の使用時間が管理されているものとする。
【００４２】
図３は、クラウドサーバ３に保存されている被検者のデータの一例であって、ＣＰＡＰ装置２による治療を継続している被検者のデータの一例を示す。図３（ａ）中のＡは、一定時間（４時間）を示している。図３（ａ）は、１ヶ月間におけるＣＰＡＰ装置２の１日ごとの使用時間の一例を示す。図３（ｂ）は、ＣＰＡＰ装置２を使用している時間帯の詳細の一例を示す。
【００４３】
ＣＰＡＰ装置２が適切に使用されている場合には、比較的規則的な時間帯に一定時間以上使用されていることが分かる。なお、一定時間は、図３（ａ），（ｂ）に示す例では、４時間であるが、４時間に限定されない。
【００４４】
図４は、クラウドサーバ３に保存されている被検者のデータの一例であって、ＣＰＡＰ装置２が適切に利用されていない被検者のデータの一例を示す。図４（ａ）は、１ヶ月間におけるＣＰＡＰ装置２の１日の使用時間の一例を示す。図４（ａ）中のＡは、一定時間（４時間）を示している。図４（ｂ）は、ＣＰＡＰ装置２を使用している時間帯の詳細の一例を示す。
【００４５】
ＣＰＡＰ装置２が適切に使用されていない場合には、不規則な使用が目立ち、一定時間以上の使用が少ないことが分かる。
【００４６】
図５は、ＣＰＡＰ装置２による治療から脱落すると疑われるデータであるが、正当理由により脱落するデータとは扱われないデータの一例を示す図である。図５（ａ）は、１ヶ月間におけるＣＰＡＰ装置２の１日ごとの使用時間の一例を示す。図５（ｂ）は、ＣＰＡＰ装置２を使用している時間帯の詳細の一例を示す。
【００４７】
図５は、被検者にＣＰＡＰ装置２の使用の中止を行った場合、ＣＰＡＰ装置２が割り当てられていない場合、被検者が転院した場合、被検者が治癒した場合、被検者が死亡した場合、または、機器が故障した場合などのデータを示す。これらのデータは、正当な理由によりＣＰＡＰ装置２が利用されなくなったものであり、脱落したデータとして扱われない。つまり、図５中のＢで示した範囲よりも以前の使用状況が図３に示すように、適切であれば、正当な理由によるものと判断し、ＣＰＡＰ装置２による治療からの脱落とは判断されない。
【００４８】
図６は、ＣＰＡＰ装置２による治療から脱落すると疑われるデータの一例を示す図である。図６（ａ）は、１ヶ月間におけるＣＰＡＰ装置２の１日ごとの使用時間の一例を示す。図６（ｂ）は、ＣＰＡＰ装置２を使用している時間帯の詳細の一例を示す。
【００４９】
図６は、一定期間ＣＰＡＰ装置２の使用がない場合のデータである。なお、一定期間とは、図６に示す例では、連続１４日間であるが、連続１４日間に限定されない。
【００５０】
なお、海外旅行やＣＰＡＰ装置２の故障などの理由でＣＰＡＰ装置２の使用ができなかったが、その後、ＣＰＡＰ装置２の使用が再開された場合には、ＣＰＡＰ装置２による治療からの脱落とは判断されない。また、ＣＰＡＰ装置２の初期使用の場合には、データは、図６に示すようなパターンになることが多い。なお、初期使用とは、例えば、半年未満の使用をいうが、半年未満に限定されない。
【００５１】
学習部４２は、クラウドサーバ３に保存されている被検者のデータの中から、図４に示すような、ＣＰＡＰ装置２による治療から脱落すると疑われる被検者の一定期間のデータを抽出する。一定期間とは、後述する第２期間である。学習部４２は、抽出した第２期間のデータに基づいて学習し、学習した結果からＣＰＡＰ装置２の脱落者の傾向（ＣＰＡＰ装置２による治療から脱落が疑われるデータの特徴）に関するニューラルネットワークを生成する。
【００５２】
分析予測部４３は、学習部４２により生成されたニューラルネットワークを利用して、データ処理部４１により処理されたデータの分析を行い、分析結果に基づいて、被検者が将来的にＣＰＡＰ装置２の脱落者になり得るかどうかを予測する。
【００５３】
これにより、データ分析予測装置４は、ＡＩ（ａｒｔｉｆｉｃｉａｌ  ｉｎｔｅｌｌｉｇｅｎｃｅ）を活用して被検者が将来的にＣＰＡＰ装置２による治療から脱落するかどうかを予測することができる。例えば、データ分析予測装置４により予測した結果を専門家に提示することにより、専門家は、被検者に対して早期に適切なフォローを行うことができ、被検者がＣＰＡＰ装置２による治療から脱落することを未然に防止することができる。専門家とは、医師、検査技師、看護師等の医療従事者などである。
【００５４】
また、学習部４２は、複数の被検者のデータに基づいて、ＣＰＡＰ装置２の使用を停止した期間が第１期間である、被検者のデータを特定し、特定した被検者のデータに基づいて学習した結果から、ＣＰＡＰ装置２の脱落者の傾向に関するニューラルネットワークを生成する構成でもよい。
【００５５】
第１期間とは、ＣＰＡＰ装置２の使用を停止した期間を定めるものであり、例えば、１４日間である。ＣＰＡＰ装置２の使用を停止してから第１期間を経過する場合には、ＣＰＡＰ装置２の治療から脱落していると考えられる。データ分析予測装置４は、ＣＰＡＰ装置２の治療から脱落した被検者のデータに基づいて学習し、学習した結果から、ＣＰＡＰ装置２の脱落者の傾向に関するニューラルネットワークを生成する。
【００５６】
よって、データ分析予測装置４は、生成したニューラルネットワークを利用することにより、被検者のデータがＣＰＡＰ装置２の治療から脱落した被検者と同じような傾向を示すかどうかにより、この被検者が将来的にＣＰＡＰ装置２の脱落者になり得るかどうかを予測することができる。
【００５７】
例えば、専門家は、データ分析予測装置４の予測結果に基づいて、ＣＰＡＰ装置２の治療から脱落しそうな被検者に対して早期に適切なフォローを行うことができ、被検者がＣＰＡＰ装置２による治療から脱落することを未然に防止することができる。
【００５８】
また、学習部４２は、特定した被検者のデータの中から第２期間のデータを抽出し、抽出した第２期間のデータに基づいて学習した結果から、ＣＰＡＰ装置２の脱落者の傾向に関するニューラルネットワークを生成する構成でもよい。
【００５９】
第２期間とは、被検者のデータの中からデータを抽出する期間を定めるものであり、例えば、ＣＰＡＰ装置２の使用を停止した最初の日から遡って６ヶ月間である。学習部４２は、ＣＰＡＰ装置２の治療を停止するまでの６ヶ月間のデータに基づいて学習した結果から、ＣＰＡＰ装置２の脱落者の傾向に関するニューラルネットワークを生成する。なお、第２期間は、６ヶ月間に限られず、１ヶ月間または３ヶ月間などでもよい。
【００６０】
よって、データ分析予測装置４は、生成したニューラルネットワークを利用することにより、第２期間の被検者のデータがＣＰＡＰ装置２の治療から脱落した被検者と同じような傾向を示すかどうかにより、この被検者が将来的にＣＰＡＰ装置２の脱落者になり得るかどうかを予測することができる。
【００６１】
例えば、専門家は、データ分析予測装置４の予測結果に基づいて、ＣＰＡＰ装置２の治療から脱落しそうな被検者に対して早期に適切なフォローを行うことができ、被検者がＣＰＡＰ装置２による治療から脱落することを未然に防止することができる。
【００６２】
また、学習部４２は、特定した被検者がＣＰＡＰ装置２の初期の被検者であった場合、第２期間より短い期間のデータに基づいて学習した結果から、ＣＰＡＰ装置２の脱落者の傾向に関するニューラルネットワークを生成する構成でもよい。
【００６３】
第２期間より短い期間とは、例えば、１０日間である。ＣＰＡＰ装置２の初期の被検者、すなわち、ＣＰＡＰ装置２による治療を始めたばかりの被検者は、早期にＣＰＡＰ装置２の治療から脱落する傾向にある。よって、学習部４２は、ＣＰＡＰ装置２の初期の被検者であった場合、第２期間より短い期間のデータに基づいて学習した結果から、ＣＰＡＰ装置２の脱落者の傾向に関するニューラルネットワークを生成する。
【００６４】
よって、データ分析予測装置４は、生成したニューラルネットワークを利用することにより、ＣＰＡＰ装置２による治療を始めたばかりの被検者のデータがＣＰＡＰ装置２の治療から脱落した初期の被検者と同じような傾向を示すかどうかにより、この被検者が将来的にＣＰＡＰ装置２の脱落者になり得るかどうかを予測することができる。
【００６５】
例えば、専門家は、データ分析予測装置４の予測結果に基づいて、ＣＰＡＰ装置２による治療を始めたばかりの被検者に対して早期に適切なフォローを行うことができ、初期の被検者がＣＰＡＰ装置２による治療から脱落することを未然に防止することができる。
【００６６】
また、学習部４２は、ＣＰＡＰ装置２の使用が第１期間以上停止されていたが、その後、ＣＰＡＰ装置２の使用が再開された場合には、再開された被検者のデータを特定した被検者のデータから除外する構成でもよい。
【００６７】
ＣＰＡＰ装置２の使用を停止してから第１期間以上経過していても、ＣＰＡＰ装置２の治療を再開する場合がある。例えば、長期に海外などへ出張していた場合、旅行していた場合、および入院していた場合などが考えられる。このような場合には、ＣＰＡＰ装置２の治療を一時的に停止していただけであり、ＣＰＡＰ装置２の治療から脱落していない。
【００６８】
学習部４２は、ＣＰＡＰ装置２の使用が再開された場合には、特定した被検者のデータから再開された被検者のデータを除外して、ニューラルネットワークを生成する。
【００６９】
よって、データ分析予測装置４は、ＣＰＡＰ装置２の治療を再開した被検者のデータを除いて生成されたニューラルネットワークを利用することにより、被検者が将来的にＣＰＡＰ装置２による治療から脱落するかどうかを正確に予測することができる。
【００７０】
また、データ処理部４１は、クラウドサーバ３に保存されている被検者のデータを集約し、被検者ごとの使用情報を生成する機能を有していてもよい。
【００７１】
図７は、各ＣＰＡＰ装置２から送信されてくるデータを集約し、被検者ごとに作成される使用情報Ｄの一例を示す図である。専門家は、使用情報Ｄまたは使用情報Ｄの印刷物を閲覧することにより、被検者によるＣＰＡＰ装置２の使用状況を把握することができる。
【００７２】
使用情報Ｄは、被検者の属性情報である患者属性情報Ｄ１と、ＣＰＡＰ装置２のセッティング情報である処方情報Ｄ２と、ＣＰＡＰ装置２の使用日数に関する情報である使用日数情報Ｄ３と、ＣＰＡＰ装置２の使用時間に関する情報である使用時間情報Ｄ４と、無呼吸および低呼吸に関する情報である無呼吸低呼吸情報Ｄ５と、ＣＰＡＰ装置２により使用されている圧力の情報である使用圧力情報Ｄ６と、ＣＰＡＰ装置２の漏れ（リーク）に関する情報であるリーク情報Ｄ７と、例えば、１ヶ月間におけるＣＰＡＰ装置２の１日ごとの使用時間を示すグラフＤ８と、ＣＰＡＰ装置２を使用している時間帯の詳細を示すグラフＤ９と、無呼吸低呼吸情報Ｄ５に基づくＯＡＩ、ＣＡＩ、ＨＩの時間的な変化を示すグラフＤ１０とから構成されている。なお、使用情報を構成する要素は、上述以外でもよい。
【００７３】
また、使用日数情報Ｄ３と、使用時間情報Ｄ４と、無呼吸低呼吸情報Ｄ５と、使用圧力情報Ｄ６と、リーク情報Ｄ７とは、被検者のＣＰＡＰ装置２の使用状況を把握するための情報である。また、図７に示す無呼吸低呼吸情報Ｄ５に含まれる項目は、一例であり、ＣＰＡＰ装置２の機能向上により、他の項目や割合が追加される。学習部４２は、追加された項目や割合も含めて学習を行い、学習した結果からＣＰＡＰ装置２の脱落者の傾向（ＣＰＡＰ装置２による治療から脱落が疑われるデータの特徴）に関するニューラルネットワークを生成する。
【００７４】
よって、専門家は、被検者が将来的にＣＰＡＰ装置２による治療から脱落するかどうかの分析予測部４３による予測結果と、データ処理部４１による被検者の使用情報に基づいて、被検者に対して、早期に適切なフォローを行うことができ、ＣＰＡＰ装置２による治療から脱落することを未然に防止することができる。
【００７５】
また、学習部４２は、特定した被検者のデータである被検者の属性情報、ＣＰＡＰ装置２の使用日数に関する一定期間の情報の傾向、使用時間に関する一定期間の情報の傾向、無呼吸および低呼吸に関する一定期間の情報の傾向、圧力に関する一定期間の情報の傾向、リークに関する一定期間の情報の傾向の中のいずれか一つまたは複数を学習し、学習した結果からＣＰＡＰ装置２の脱落者の傾向に関するニューラルネットワークを生成する構成でもよい。例えば、ＣＰＡＰ装置２の使用日数に関する一定期間の情報の傾向に基づけば、ＣＰＡＰ装置２の使用が改善しているのか、悪くなっているのかなどの傾向が分かる。
【００７６】
被検者の属性情報とは、患者属性情報Ｄ１に相当し、例えば、性別、生年月日および年齢などである。ＣＰＡＰ装置２の使用日数に関する一定期間の情報とは、使用日数情報Ｄ３に相当し、例えば、１ヶ月間の使用日数、１ヶ月間の使用可能日数、１ヶ月間で使用されなかった日数、および１ヶ月間の使用されなかった日数の割合などである。なお、期間は、１ヶ月間に限らず、３ヶ月間または６ヶ月間などでもよい。
【００７７】
使用時間に関する一定期間の情報とは、使用時間情報Ｄ４に相当し、例えば、１ヶ月間における規定時間以上の使用日数、１ヶ月間における使用時間インデックス、１ヶ月間における合計使用時間、１ヶ月間における平均使用時間、および１ヶ月間における使用時間の中央値などである。なお、期間は、１ヶ月間に限らず、３ヶ月間または６ヶ月間などでもよい。
【００７８】
無呼吸および低呼吸に関する一定期間の情報とは、無呼吸低呼吸情報Ｄ５に相当し、例えば、ＡＨＩ（Ａｐｎｅａ  Ｈｙｐｏｐｎｅａ  Ｉｎｄｅｘ、無呼吸低呼吸指数）、ＡＩ（Ａｐｎｅａ  Ｉｎｄｅｘ、無呼吸指数）、およびＨＩ（Ｈｙｐｏｐｎｅａ  Ｉｎｄｅｘ、低呼吸指数）などである。
【００７９】
圧力に関する一定期間の情報とは、使用圧力情報Ｄ６に相当し、例えば、ＣＰＡＰ装置２の１ヶ月間の平均圧力およびＣＰＡＰ装置２の１ヶ月間の最大圧力などである。なお、期間は、１ヶ月間に限らず、３ヶ月間または６ヶ月間などでもよい。
【００８０】
リークに関する一定期間の情報とは、リーク情報Ｄ７に相当し、例えば、ＣＰＡＰ装置２の１ヶ月間の平均リーク量およびＣＰＡＰ装置２の１ヶ月間の最大リーク量などである。なお、期間は、１ヶ月間に限らず、３ヶ月間または６ヶ月間などでもよい。
【００８１】
学習部４２は、被検者の属性情報などに基づいて学習し、学習した結果からＣＰＡＰ装置２の脱落者の傾向に関するニューラルネットワークを生成する。
【００８２】
よって、データ分析予測装置４は、生成されたニューラルネットワークを利用することにより、具体的な被検者のデータに基づいて、被検者が将来的にＣＰＡＰ装置２による治療から脱落するかどうかを予測することができる。
【００８３】
つぎに、データ分析予測装置４によるＣＰＡＰ装置２の脱落の兆候を監視する手順について、図８のフローチャートを用いて説明する。
【００８４】
ステップＳＴ１において、データ分析予測装置４は、ＣＰＡＰ装置２から脱落する被検者のデータを蓄積する。例えば、ＣＰＡＰ装置２による治療から脱落になり得ると疑われるデータ（例えば、図５，６に示すデータ）の被検者を特定し、特定した被検者の情報（例えば、図７に示す各種情報）を過去６ヶ月分蓄積する。なお、ＣＰＡＰ装置２の初期使用の被検者が脱落する場合があり、６ヶ月分のデータの蓄積がない場合がある。よって、６ヶ月よりも短い期間のデータを蓄積する構成でもよい。
【００８５】
ステップＳＴ２において、データ分析予測装置４は、ＣＰＡＰ装置２から脱落する被検者のデータに基づいて学習する。ステップＳＴ１の工程で蓄積されたデータから、各種情報の６ヶ月のトレンドを求め、ＣＰＡＰ装置２から脱落する被検者の傾向をパターン化する。なお、ステップＳＴ２の工程における分析とパターン化の項目としては、例えば、図７に示す患者属性情報Ｄ１、使用日数情報Ｄ３、使用時間情報Ｄ４、無呼吸低呼吸情報Ｄ５、使用圧力情報Ｄ６、リーク情報Ｄ７などである。
【００８６】
ステップＳＴ３において、データ分析予測装置４は、ＣＰＡＰ装置２から脱落しそうな被検者の兆候の監視と警告とを行う。データ分析予測装置４は、被検者のＣＰＡＰ装置２の使用情報（例えば、ＣＰＡＰ装置２の１日ごとの使用時間）から脱落する被検者の傾向（パターン）に当てはまっているかをチェックし、同一または類似の兆候（使用パターン）を示す場合、被検者がＣＰＡＰ装置２による治療から脱落する可能性があると判断し、この被検者の情報を専門家に提供する。なお、データ分析予測装置４は、被検者がＣＰＡＰ装置２の初期使用者の場合には、主に、使用開始からの初期使用の被検者のパターンに当てはまっているかどうかをチェックする。
【００８７】
よって、データ分析予測装置４は、ＣＰＡＰ装置２による治療から脱落しそうな被検者の兆候を監視し、また、被検者がＣＰＡＰ装置２の脱落者になり得るかどうかの予測結果に基づいて、専門家に警告を発することができる。
【００８８】
また、クラウドサーバ３には、分析予測部４３によりＣＰＡＰ装置２の脱落者になり得ると予測された被検者のデータと、専門家の指示により当該被検者が使用するＣＰＡＰ装置２の設定値と、が対応付けて保存されている。
【００８９】
学習部４２は、クラウドサーバ３に対応付けて保存されている被検者のデータと当該被検者が使用するＣＰＡＰ装置２の設定値とに基づいて、分析予測部４３により脱落者になり得ると予測されたが、ＣＰＡＰ装置２の設定値を変更することにより、脱落しなかった被検者のデータと、ＣＰＡＰ装置２の変更後の設定値とに基づいて学習し、学習した結果からニューラルネットワークを生成する。
【００９０】
分析予測部４３は、学習部４２により生成されたニューラルネットワークを利用して、データ処理部４１により処理されたデータの分析を行い、分析結果に基づいて、被検者が将来的にＣＰＡＰ装置２の脱落者になり得ると予測した場合、当該被検者が使用するＣＰＡＰ装置２の変更後の設定値を予測する。
【００９１】
ＣＰＡＰ装置２の設定値とは、例えば、自動開始のオンまたはオフ、上限圧、下限圧、ランプ開始圧、およびランプ時間などである。
【００９２】
学習部４２は、脱落者になり得ると予測されたが脱落しなかった被検者のデータと、この被検者が使用するＣＰＡＰ装置２の変更後の設定値とに基づいて学習し、学習した結果からニューラルネットワークを生成する。
【００９３】
よって、データ分析予測装置４は、生成されたニューラルネットワークを利用することにより、将来的にＣＰＡＰ装置２の脱落者になり得る被検者に対して、ＣＰＡＰ装置２の設定値をどのように変更すればよいのか予測することができる。ＣＰＡＰ装置２の設定が適切でないために、ＣＰＡＰ装置２による治療から脱落する場合があるが、データ分析予測装置４によりＣＰＡＰ装置２の設定値をどのように変更すればよいのか予測することができるので、ＣＰＡＰ装置２による治療からの脱落を効果的に防止することができる。
【００９４】
ここで、データ分析予測装置４によるＣＰＡＰ装置２からの脱落を防止する手順について、図９のフローチャートを用いて説明する。
【００９５】
ステップＳＴ１１において、データ分析予測装置４は、ＣＰＡＰ装置２による治療からの脱落の兆候を示していたが、ＣＰＡＰ装置２の設定を変更したことにより、適切な使用に変化した場合におけるＣＰＡＰ装置２の変更後の設定（処方）パターンを蓄積する。
【００９６】
ステップＳＴ１２において、データ分析予測装置４は、ＣＰＡＰ装置２の設定（処方）の成功事例について学習する。データ分析予測装置４は、ステップＳＴ１１の工程により蓄積されたデータから、ＣＰＡＰ装置２に対して適切な使用に変化した設定（処方）を求め、適切な使用に変化した設定（処方）をパターン化する。このパターンは、成功事例とする。
【００９７】
また、データ分析予測装置４は、ＣＰＡＰ装置２から送信されるデータ（セッティング情報である処方情報Ｄ２）に基づいて、ＣＰＡＰ装置２の設定がいつから変更されたのかを示す変更日付情報を保有する。例えば、データ分析予測装置４は、変更日付情報に基づいて、ＣＰＡＰ装置２の１日ごとの使用時間を示すグラフＤ８またはＣＰＡＰ装置２を使用している時間帯の詳細を示すグラフＤ９に変更した日が分かるように印または記号などを挿入する。データ分析予測装置４は、ＣＰＡＰ装置２の設定が変更される前の使用状態のデータと、ＣＰＡＰ装置２の設定が変更された後の使用状態のデータとに基づいて、ＣＰＡＰ装置２に対して適切な使用に変化した設定（処方）を求め、適切な使用に変化した設定（処方）をパターン化してもよい。
【００９８】
また、データ分析予測装置４は、専門家の設定（処方）パターンを蓄積する構成でもよい。例えば、データ分析予測装置４は、専門医療機関を設定し、そこで設定された設定を患者属性情報やＣＰＡＰ装置２ごとに蓄積する。この構成の場合、データ分析予測装置４は、ステップＳＴ１１の工程により蓄積されたデータと、専門家の設定（処方）パターンとに基づいて、ＣＰＡＰ装置２に対して適切な使用に変化した設定（処方）を求め、適切な使用に変化した設定（処方）をパターン化する。つまり、適切な使用に変化した設定（処方）パターンであって、専門家の設定（処方）パターンに該当するパターンのみが成功事例となる。
【００９９】
ステップＳＴ１３において、データ分析予測装置４は、ＣＰＡＰ装置２による治療から脱落しそうな被検者のＣＰＡＰ装置２の設定値をどのように変更すればよいのかを予測し、提示する。
【０１００】
具体的には、データ分析予測装置４は、ステップＳＴ３の工程により被検者がＣＰＡＰ装置２による治療から脱落する可能性があると判断した場合、ステップＳＴ１２の工程によりパターン化した設定（処方）の中から適合するものを抽出し、抽出した設定（処方）を提示する。
【０１０１】
よって、データ分析予測装置４は、将来的にＣＰＡＰ装置２の脱落者になり得る被検者に対して、ＣＰＡＰ装置２の設定値をどのように変更すればよいのか提示することができる。
【０１０２】
また、ＣＰＡＰ装置２による治療には、マスクを用いるが、ＣＰＡＰ装置２による治療を継続するには、マスクの選定も大事な要素になる。被検者ごとに鼻の形や大きさや鼻の下の長さなどが異なるため、被検者に適合する大きさのマスクを選ぶ必要がある。また、マスクには、鼻タイプ、鼻孔タイプ、フルフェイスタイプなどの複数のタイプがある。
【０１０３】
本実施形態に係るデータ分析予測装置４は、被検者に適合するマスクのサイズやタイプを提示する機能を有する。
【０１０４】
クラウドサーバ３には、分析予測部４３によりＣＰＡＰ装置２の脱落者になり得ると予測された被検者のデータと、当該被検者が使用するマスクに関する情報と、が対応付けて保存されている。マスクに関する情報とは、マスクのサイズやタイプである。
【０１０５】
学習部４２は、クラウドサーバ３に対応付けて保存されている被検者のデータとマスクに関する情報とに基づいて、分析予測部４３により脱落者になり得ると予測されたが、マスクを交換することにより、脱落しなかった被検者のデータと、この交換されたマスクに関する情報とに基づいて学習し、学習した結果からニューラルネットワークを生成する。
【０１０６】
分析予測部４３は、ニューラルネットワークを利用して、データ処理部４１により処理されたデータの分析を行い、分析結果に基づいて、被検者が将来的にＣＰＡＰ装置２の脱落者になり得ると予測した場合、当該被検者に適合するマスクに関する情報を予測する。
【０１０７】
例えば、データ分析予測装置４は、マスクが変更される前の無呼吸低呼吸情報Ｄ５、使用圧力情報Ｄ６、およびリーク情報Ｄ７と、マスクが変更された後の無呼吸低呼吸情報Ｄ５、使用圧力情報Ｄ６、およびリーク情報Ｄ７とに基づいて、ＣＰＡＰ装置２が適切な使用に変化したときのマスクに関する情報を求め、適切な使用に変化したときのマスクに関する情報をパターン化しておく。
【０１０８】
データ分析予測装置４は、被検者がＣＰＡＰ装置２による治療から脱落する可能性があると判断した場合、パターン化したマスクに関する情報の中から被検者に適合するものを抽出し、抽出したマスクに関する情報を提示する。
【０１０９】
よって、専門家は、被検者が将来的にＣＰＡＰ装置２による治療から脱落するかどうかの分析予測部４３による予測結果と、被検者のマスクに関する情報に基づいて、被検者に適合するマスクを選定することができ、ＣＰＡＰ装置２による治療から脱落することを未然に防止することができる。
【０１１０】
また、データ分析予測装置４は、分析予測部４３により被検者が使用するＣＰＡＰ装置２の変更後の設定値を予測した場合、その変更後の設定値に基づいて、対象となるＣＰＡＰ装置２の設定値を変更する変更部４４を備える構成でもよい。
【０１１１】
例えば、変更部４４は、ＣＰＡＰ装置２から送信されてくるデータ（ＣＰＡＰ装置２の固有の番号（Ｓ／Ｎ）やＣＰＡＰ装置２のＭＡＣ（Ｍｅｄｉａ  Ａｃｃｅｓｓ  Ｃｏｎｔｒｏｌ）アドレスなど）により対象となるＣＰＡＰ装置２を特定し、通信部４０を介して特定したＣＰＡＰ装置２にアクセスし、ＣＰＡＰ装置２の設定値を変更する。なお、クラウドサーバ３によりＣＰＡＰ装置２の設定値を変更する構成でもよい。この構成の場合、変更部４４は、通信部４０を介してクラウドサーバ３にアクセスし、特定したＣＰＡＰ装置２の情報（ＭＡＣアドレスなど）と、変更する設定値を通知する。クラウドサーバ３は、変更部４４により特定されたＣＰＡＰ装置２にアクセスし、ＣＰＡＰ装置２の設定値を変更する。
【０１１２】
このような構成によれば、データ分析予測装置４は、将来的にＣＰＡＰ装置２の脱落者になり得る被検者のＣＰＡＰ装置２の設定値を適した設定値に変更することができ、ＣＰＡＰ装置２による治療から脱落することを未然に防止することができる。
【０１１３】
また、本実施形態では、主に、被検者が将来的にＣＰＡＰ装置２の脱落者になり得るかどうかを予測するためのデータ分析予測装置４の構成と動作について説明したが、これに限られず、各構成要素を備え、被検者が将来的にＣＰＡＰ装置２の脱落者になり得るかどうかを予測するためのデータ分析予測プログラムとして構成されてもよい。
【０１１４】
さらに、データ分析予測プログラムをコンピュータで読み取り可能な記録媒体に記録して、この記録媒体に記録されたデータ分析予測プログラムをコンピュータに読み込ませ、実行することによって実現されてもよい。
【０１１５】
具体的には、データ分析予測プログラムは、ＣＰＡＰ装置２から送信されてきた被検者のデータを処理するデータ処理工程と、複数のＣＰＡＰ装置２から送信されてきた複数の被検者のデータがクラウドサーバに保存されており、当該クラウドサーバに保存されている被検者のデータに基づいて、ＣＰＡＰ装置２による治療から脱落する脱落者のデータに基づいて学習し、学習した結果からニューラルネットワークを生成する学習工程と、学習工程により生成されたニューラルネットワークを利用して、データ処理工程により処理されたデータの分析を行い、分析結果に基づいて、被検者が将来的にＣＰＡＰ装置２の脱落者になり得るかどうかを予測する分析予測工程をコンピュータに実行させるプログラムである。
【符号の説明】
【０１１６】
１  情報処理システム
２  ＣＰＡＰ装置
３  クラウドサーバ
４  データ分析予測装置
４０  通信部
４１  データ処理部
４２  学習部
４３  分析予測部
４４  変更部
【図１】
2019185259.tif 000003
【図２】
2019185259.tif 000004
【図３】
2019185259.tif 000005
【図４】
2019185259.tif 000006
【図５】
2019185259.tif 000007
【図６】
2019185259.tif 000008
【図７】
2019185259.tif 000009
【図８】
2019185259.tif 000010
【図９】
2019185259.tif 000011
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
治療装置から送信されてきた被検者のデータを処理するデータ処理部と、
前記治療装置にネットワークを介して接続されたサーバに、複数の前記治療装置から送信されてきた複数の被検者のデータが保存されており、当該サーバに保存されている被検者のデータに基づいて、前記治療装置による治療から脱落する脱落者のデータに基づいて学習し、学習した結果からニューラルネットワークを生成する学習部と、
前記ニューラルネットワークを利用して、前記データ処理部により処理されたデータの分析を行い、分析結果に基づいて、被検者が将来的に前記治療装置の脱落者になり得るかどうかを予測する分析予測部と、を備え、
前記学習部は、複数の被検者のデータに基づいて、前記治療装置の使用を停止した期間が第１期間以上である、被検者のデータを特定し、
前記学習部は、特定した被検者のデータの中から第２期間のデータを抽出し、抽出した前記第２期間のデータに基づいて学習し、学習した結果から前記治療装置の脱落者の傾向に関する前記ニューラルネットワークを生成する、記載のデータ分析予測装置。
【請求項２】
前記学習部は、前記特定した被検者が前記治療装置の初期の被検者であった場合、前記第２期間より短い期間のデータに基づいて学習し、学習した結果から前記治療装置の脱落者の傾向に関する前記ニューラルネットワークを生成する請求項１に記載のデータ分析予測装置。
【請求項３】
前記学習部は、前記治療装置の使用が前記第１期間以上停止されていたが、その後、前記治療装置の使用が再開された場合には、再開された被検者のデータを前記特定した被検者のデータから除外する請求項１または２に記載のデータ分析予測装置。
【請求項４】
前記学習部は、前記特定した被検者のデータである被検者の属性情報、前記治療装置の使用日数に関する情報、使用時間に関する情報、無呼吸および低呼吸に関する情報、圧力に関する情報、リークに関する情報の中のいずれか一つの情報または複数の情報を学習し、学習した結果から前記治療装置の脱落者の傾向に関する前記ニューラルネットワークを生成する請求項１から３のいずれか一項に記載のデータ分析予測装置。
【請求項５】
治療装置から送信されてきた被検者のデータを処理するデータ処理部と、
前記治療装置にネットワークを介して接続されたサーバに、複数の前記治療装置から送信されてきた複数の被検者のデータが保存されており、当該サーバに保存されている被検者のデータに基づいて、前記治療装置による治療から脱落する脱落者のデータに基づいて学習し、学習した結果からニューラルネットワークを生成する学習部と、
前記ニューラルネットワークを利用して、前記データ処理部により処理されたデータの分析を行い、分析結果に基づいて、被検者が将来的に前記治療装置の脱落者になり得るかどうかを予測する分析予測部と、を備え、
前記学習部は、複数の被検者のデータに基づいて、前記治療装置の使用を停止した期間が第１期間以上である、被検者のデータを特定し、特定した被検者のデータに基づいて学習した結果から前記治療装置の脱落者の傾向に関する前記ニューラルネットワークを生成し、
前記学習部は、前記特定した被検者のデータである被検者の属性情報、前記治療装置の使用日数に関する情報、使用時間に関する情報、無呼吸および低呼吸に関する情報、圧力に関する情報、リークに関する情報の中のいずれか一つの情報または複数の情報を学習し、学習した結果から前記治療装置の脱落者の傾向に関する前記ニューラルネットワークを生成する、データ分析予測装置。
【請求項６】
前記サーバには、前記分析予測部により前記治療装置の脱落者になり得ると予測された被検者のデータと、専門家の指示により当該被検者が使用する治療装置の設定値と、が対応付けて保存されており、
前記学習部は、前記サーバに対応付けて保存されている前記被検者のデータと当該被検者が使用する治療装置の設定値とに基づいて、前記分析予測部により脱落者になり得ると予測されたが、治療装置の設定値を変更することにより、脱落しなかった被検者のデータと、治療装置の変更後の設定値とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に前記治療装置の脱落者になり得ると予測した場合、当該被検者が使用する治療装置の変更後の設定値を予測する請求項１から５のいずれか一項に記載のデータ分析予測装置。
【請求項７】
治療装置から送信されてきた被検者のデータを処理するデータ処理部と、
前記治療装置にネットワークを介して接続されたサーバに、複数の前記治療装置から送信されてきた複数の被検者のデータが保存されており、当該サーバに保存されている被検者のデータに基づいて、前記治療装置による治療から脱落する脱落者のデータに基づいて学習し、学習した結果からニューラルネットワークを生成する学習部と、
前記ニューラルネットワークを利用して、前記データ処理部により処理されたデータの分析を行い、分析結果に基づいて、被検者が将来的に前記治療装置の脱落者になり得るかどうかを予測する分析予測部と、を備え、
前記サーバには、前記分析予測部により前記治療装置の脱落者になり得ると予測された被検者のデータと、専門家の指示により当該被検者が使用する治療装置の設定値と、が対応付けて保存されており、
前記学習部は、前記サーバに対応付けて保存されている前記被検者のデータと当該被検者が使用する治療装置の設定値とに基づいて、前記分析予測部により脱落者になり得ると予測されたが、治療装置の設定値を変更することにより、脱落しなかった被検者のデータと、治療装置の変更後の設定値とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に前記治療装置の脱落者になり得ると予測した場合、当該被検者が使用する治療装置の変更後の設定値を予測する、データ分析予測装置。
【請求項８】
前記学習部は、複数の被検者のデータに基づいて、前記治療装置の使用を停止した期間が第１期間以上である、被検者のデータを特定し、特定した被検者のデータに基づいて学習した結果から前記治療装置の脱落者の傾向に関する前記ニューラルネットワークを生成する請求項７に記載のデータ分析予測装置。
【請求項９】
前記分析予測部により被検者が使用する治療装置の変更後の設定値を予測した場合、その変更後の設定値に基づいて、対象となる治療装置の設定値を変更する変更部を備える請求項６または７に記載のデータ分析予測装置。
【請求項１０】
前記サーバには、前記分析予測部により治療装置の脱落者になり得ると予測された被検者のデータと、当該被検者が使用するマスクに関する情報と、が対応付けて保存されており、
前記学習部は、前記サーバに対応付けて保存されている被検者のデータとマスクに関する情報とに基づいて、前記分析予測部により脱落者になり得ると予測されたが、マスクを交換することにより、脱落しなかった被検者のデータと、この交換されたマスクに関する情報とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に治療装置の脱落者になり得ると予測した場合、当該被検者に適したマスクに関する情報を予測する請求項１から９のいずれか一項に記載のデータ分析予測装置。
【請求項１１】
治療装置から送信されてきた被検者のデータを処理するデータ処理部と、
前記治療装置にネットワークを介して接続されたサーバに、複数の前記治療装置から送信されてきた複数の被検者のデータが保存されており、当該サーバに保存されている被検者のデータに基づいて、前記治療装置による治療から脱落する脱落者のデータに基づいて学習し、学習した結果からニューラルネットワークを生成する学習部と、
前記ニューラルネットワークを利用して、前記データ処理部により処理されたデータの分析を行い、分析結果に基づいて、被検者が将来的に前記治療装置の脱落者になり得るかどうかを予測する分析予測部と、を備え、
前記サーバには、前記分析予測部により治療装置の脱落者になり得ると予測された被検者のデータと、当該被検者が使用するマスクに関する情報と、が対応付けて保存されており、
前記学習部は、前記サーバに対応付けて保存されている被検者のデータとマスクに関する情報とに基づいて、前記分析予測部により脱落者になり得ると予測されたが、マスクを交換することにより、脱落しなかった被検者のデータと、この交換されたマスクに関する情報とに基づいて学習し、学習した結果からニューラルネットワークを生成し、
前記分析予測部は、前記ニューラルネットワークを利用して、前記データ処理部により処理されたデータの分析を行い、分析結果に基づいて、被検者が将来的に治療装置の脱落者になり得ると予測した場合、当該被検者に適したマスクに関する情報を予測する、データ分析予測装置。
【請求項１２】
治療装置から送信されてきた被検者のデータを処理するデータ処理工程と、
前記治療装置にネットワークを介して接続されたサーバに、複数の前記治療装置から送信されてきた複数の被検者のデータが保存されており、当該サーバに保存されている複数の被検者のデータに基づいて、前記治療装置の使用を停止した期間が第１期間以上である、被検者のデータを特定し、特定した被検者のデータの中から第２期間のデータを抽出し、抽出した前記第２期間のデータに基づいて学習し、学習した結果から、前記治療装置の脱落者の傾向に関するニューラルネットワークを生成する学習工程と、
前記ニューラルネットワークを利用して、前記データ処理工程により処理されたデータの分析を行い、分析結果に基づいて、被検者が将来的に前記治療装置の脱落者になり得るかどうかを予測する分析予測工程と、をコンピュータに実行させるデータ分析予測プログラム。